(57)【要約】【課題】棚板を比較的強固に所定の場所に固定するとともに外観上の見栄えを向上する。【解決手段】方形状の棚板を水平方向に支持する鉛直に設けられる組み立て式棚の支柱１３であって、横断面の角部を切り欠く単一の切り欠き溝１３ａを鉛直方向に連続して形成することにより横断面がＬ字状に形成され、棚板の厚さに相応する幅の第１及び第２凹溝１３ｂ，１３ｃが切り欠き溝に直交して切り欠き溝の内面に互いに交差して形成され、第１又は第２凹溝に貫通する取付孔が形成され、互いに交差する第１及び第２凹溝に棚板の角部を挿入させて取付孔に挿入させた雄ねじを棚板の角部に螺着することにより棚板を支持可能に構成される。支柱は、所定の間隔を開けた一対の第１及び第２切り欠き溝により横断面をＴ字状に形成し、棚板の厚さに相応する幅の第３及び第４凹溝を第１及び第２切り欠き溝の各内面に互いに交差するようにそれぞれ形成してもよい。【選択図】  図１
2005342213.tif 000002
【特許請求の範囲】
【請求項１】
棚板(11,12)を水平方向に支持する鉛直に設けられる組み立て式棚の支柱(13)において、
横断面の角部を切り欠く単一の切り欠き溝(13a)を鉛直方向に連続して形成することにより横断面がＬ字状に形成され、
前記棚板(11,12)の厚さに相応する幅の第１及び第２凹溝(13b,13c)が前記切り欠き溝(13a)に直交して前記切り欠き溝(13a)の内面に互いに交差して形成され、
前記第１又は第２凹溝(13b,13c)のいずれか一方又は双方に貫通する取付孔(13d)が形成され、
互いに交差する前記第１及び第２凹溝(13b,13c)に前記棚板(11,12)の角部を挿入させて前記取付孔(13d)に挿入させた雄ねじ(21)を前記棚板(11,12)の角部に螺着することにより前記棚板(11,12)を支持可能に構成された
ことを特徴とする組み立て式棚の支柱。
【請求項２】
互いに交差する第１及び第２凹溝(13b,13c)が鉛直方向に所定の間隔(S)をあけて複数形成された請求項１記載の組み立て式棚の支柱。
【請求項３】
長手方向側部の片面に係合溝(14a)が形成された第１板材(14)と前記係合溝(14a)に側部が挿入接着された第２板材(16)とにより支柱横断面がＬ字状に形成され、第１凹溝(13b)は前記第１板材(14)の片面に前記係合溝(14a)に直交しかつ連通して形成され、第２凹溝(13c)は側端部が前記係合溝(14a)に挿入接着された状態で前記第１凹溝(13b)に交差するように前記第２板材(16)の片面に形成された請求項１又は２記載の組み立て式棚の支柱。
【請求項４】
棚板(11,12)を水平方向に支持する鉛直に設けられる組み立て式棚の支柱(17)において、
横断面の隣接する角部をそれぞれ切り欠く一対の第１及び第２切り欠き溝(17a,17b)を所定の間隔をあけて互いに平行に鉛直方向に連続して形成することにより横断面がＴ字状に形成され、
前記棚板(11,12)の厚さに相応する幅の第３及び第４凹溝(17c,17d)が前記一対の第１及び第２切り欠き溝(17a,17b)のそれぞれに直交して前記第１及び第２切り欠き溝(17a,17b)の各内面に互いに交差するようにそれぞれ形成され、
前記第３又は第４凹溝(17c,17d)のいずれか一方又は双方に貫通する取付孔(17e)が形成され、
互いに交差する前記第３及び第４凹溝(17c,17d)に前記棚板(11,12)の角部を挿入させて前記取付孔(17e)に挿入させた雄ねじ(21)を前記棚板(11,12)の角部に螺着することにより前記棚板(11,12)を支持可能に構成され、
前記第１切り欠き溝(17a)に形成された互いに交差する第３及び第４凹溝(17c,17d)に挿入されてねじ止めされた一方の棚板(11)と前記第２切り欠き溝(17b)に形成された互いに交差する第３及び第４凹溝(17c,17d)に挿入されてねじ止めされた他方の棚板(12)とが水平方向に連続するように構成された
ことを特徴とする組み立て式棚の支柱。
【請求項５】
互いに交差する第３及び第４凹溝(17c,17d)が鉛直方向に所定の間隔(S)をあけて複数形成された請求項４記載の組み立て式棚の支柱。
【請求項６】
片面中央に長手方向に係合溝(18a)が形成された第３板材(18)と前記係合溝(18a)に側部が挿入接着された第４板材(19)とにより支柱断面がＴ字状に形成され、第３凹溝(17c)は前記第３板材(18)に前記係合溝(18a)に直交しかつ連通して形成され、第４凹溝(17d)は前記係合溝(18a)に挿入接着された状態で前記第３凹溝(17c)に交差するように前記第４板材(19)の両面にそれぞれ形成された請求項４又は５記載の組み立て式棚の支柱。
【発明の詳細な説明】
【技術分野】
【０００１】
本発明は、鉛直に設けられ水平に設けられた棚板の角部を支持する組み立て式棚の支柱に関するものである。
【背景技術】
【０００２】
従来、木製の組み立て式の収納棚として、上下方向に適当な間隔を保って多数の棚板用溝が穿設された木製支柱と、両端にその溝に嵌めるスリット金具が設けられた木製棚板と、支柱の外側から支柱を介して棚板に固着された保持部材とを備えたものが知られている（例えば、特許文献１参照。）。このような棚にあっては、支柱に多数の棚板用溝を穿設するので、棚板を嵌める溝を異ならせることにより、使用者の好みに応じてその棚を上下方向の任意の位置に固定することができ、かつその棚板の追加又は削除が比較的容易であるとしている。
【特許文献１】特開２００２−１３６３６２号公報（特許請求の範囲）
【発明の開示】
【発明が解決しようとする課題】
【０００３】
しかし、木製支柱に上下方向に多数穿設された棚板用溝に棚板の端部を支持させる上記の棚では、棚板を支持しない棚板用の溝が外部から直接視認され、その溝が視認されることに起因して組み立てられた収納棚の見栄えが悪化する不具合があった。また、上述の組み立て式棚であっては、棚板の両端に設けられたスリット金具や、支柱に棚板を強固に取付けるための保持部材等が必要なことから部品点数が増加し、得られた棚の単価が押し上げる問題点もあった。
本発明の目的は、棚板を比較的強固に所定の場所に固定するとともに外観上の見栄えを向上し得る組み立て式収納棚の支柱を提供することにある。
【課題を解決するための手段】
【０００４】
請求項１に係る発明は、図７に示すように、棚板１１，１２を水平方向に支持する鉛直に設けられる組み立て式棚の支柱１３の改良である。
その特徴ある構成は、図１及び図２に示すように、横断面の角部を切り欠く単一の切り欠き溝１３ａを鉛直方向に連続して形成することにより横断面がＬ字状に形成され、棚板１１，１２の厚さに相応する幅の第１及び第２凹溝１３ｂ，１３ｃが切り欠き溝１３ａに直交して切り欠き溝１３ａの内面に互いに交差して形成され、第１又は第２凹溝１３ｂ，１３ｃのいずれか一方又は双方に貫通する取付孔１３ｄが形成され、互いに交差する第１及び第２凹溝１３ｂ，１３ｃに棚板１１，１２の角部を挿入させて取付孔１３ｄに挿入させた雄ねじ２１を棚板１１，１２の角部に螺着することにより棚板１１，１２を支持可能に構成されたところにある。
【０００５】
請求項４に係る発明は、図７に示すように、棚板１１，１２を水平方向に支持する鉛直に設けられる組み立て式棚の支柱１７の改良である。
その特徴ある構成は、図４及び図５に示すように、横断面の隣接する角部をそれぞれ切り欠く一対の第１及び第２切り欠き溝１７ａ，１７ｂを所定の間隔をあけて互いに平行に鉛直方向に連続して形成することにより横断面がＴ字状に形成され、棚板１１，１２の厚さに相応する幅の第３及び第４凹溝１７ｃ，１７ｄが一対の第１及び第２切り欠き溝１７ａ，１７ｂのそれぞれに直交して第１及び第２切り欠き溝１７ａ，１７ｂの各内面に互いに交差するようにそれぞれ形成され、第３又は第４凹溝１７ｃ，１７ｄのいずれか一方又は双方に貫通する取付孔１７ｅが形成され、互いに交差する第３及び第４凹溝１７ｃ，１７ｄに棚板１１，１２の角部を挿入させて取付孔１７ｅに挿入させた雄ねじ２１を棚板１１，１２の角部に螺着することにより棚板１１，１２を支持可能に構成され、第１切り欠き溝１７ａに形成された互いに交差する第３及び第４凹溝１７ｃ，１７ｄに挿入されてねじ止めされた一方の棚板１１と第２切り欠き溝１７ｂに形成された互いに交差する第３及び第４凹溝１７ｃ，１７ｄに挿入されてねじ止めされた他方の棚板１２とが水平方向に連続するように構成されたところにある。
【０００６】
この請求項１及び請求項４に記載された組み立て式棚の支柱１３，１７では、その横断面の角部を単一又は一対の切り欠き溝１３ａ又は１７ａ，１７ｂにより切り欠いて横断面がＬ字又はＴ字状に形成し、その切り欠き溝１３ａ又は１７ａ，１７ｂの内面に棚板１１，１２を支持する第１及び第２凹溝１３ｂ，１３ｃ又は第３及び第４凹溝１７ｃ，１７ｄを互いに交差して形成するので、棚板１１，１２を実際に支持するための第１及び第２凹溝１３ｂ，１３ｃ又は第３及び第４凹溝１７ｃ，１７ｄは断面Ｌ字又はＴ字状の支柱により包囲されるような形になる。このため、棚板１１，１２を支持するための第１及び第２凹溝１３ｂ，１３ｃ又は第３及び第４凹溝１７ｃ，１７ｄは外部から直接視認することが困難になり、その溝１３ｂ，１３ｃ，１７ｃ，１７ｄの全てが外部から直接視認されることは回避され、得られた棚の見栄えを従来より向上させることができる。
【０００７】
また、棚板１１，１２の角部を実際に支持する第１及び第２凹溝１３ｂ，１３ｃ又は第３及び第４凹溝１７ｃ，１７ｄは棚板１１，１２の厚さに相応する幅を有しかつ互いに交差するので、棚板１１，１２の角部を第１及び第２凹溝１３ｂ，１３ｃ又は第３及び第４凹溝１７ｃ，１７ｄに挿入するだけで棚板１１，１２を支柱１３，１７に対して略直角に支持することができる。そして、その状態で取付孔１３ｄ，１７ｅに挿入させた雄ねじ２１を棚板１１，１２の角部に螺着することにより棚板１１，１２を正確な位置に位置させた状態で雄ねじ２１を螺着することができ、比較的単純な作業で棚板１１を正確に所定の場所に確実かつ強固に固定することができる。このため、従来必要とされたスリット金具や、支柱に棚板を強固に取付けるための保持部材等が不要になり、部品点数を減少させて比較的安価な棚を得ることが可能になる。
なお、請求項１に記載された支柱１３は、単一又は鉛直方向に重なる複数の水平な棚板１１，１２の角部を主として支持するために用いられ、請求項４に記載された支柱１７は、水平方向に連続する棚板１１と棚板１２の間に鉛直方向に設けられその双方の棚板１１，１２の角部をそれぞれ支持するために用いられるものである。
【０００８】
請求項２に係る発明は、請求項１に係る発明であって、互いに交差する第１及び第２凹溝１３ｂ，１３ｃが鉛直方向に所定の間隔Ｓをあけて複数形成された組み立て式棚の支柱である。
請求項５に係る発明は、請求項４に係る発明であって、互いに交差する第３及び第４凹溝１７ｃ，１７ｄが鉛直方向に所定の間隔Ｓをあけて複数形成された組み立て式棚の支柱である。
この請求項２及び請求項５に記載された組み立て式棚の支柱では、第１及び第２凹溝１３ｂ，１３ｃ又は第３及び第４凹溝１７ｃ，１７ｄを複数形成することから、複数の棚板１１，１２を鉛直方向に所定の間隔を開けて支持することが可能になり、好みに応じて棚板１１，１２の数を増減させてそのデザイン性を向上させることもできる。
【０００９】
請求項３に係る発明は、請求項１又は２に係る発明であって、更に図３に示すように、長手方向側部の片面に係合溝１４ａが形成された第１板材１４と係合溝１４ａに側部が挿入接着された第２板材１６とにより支柱横断面がＬ字状に形成され、第１凹溝１３ｂは第１板材１４の片面に係合溝１４ａに直交しかつ連通して形成され、第２凹溝１３ｃは側端部が係合溝１４ａに挿入接着された状態で第１凹溝１３ｂに交差するように第２板材１６の片面に形成された組み立て式棚の支柱である。
請求項６に係る発明は、請求項４又は５に係る発明であって、更に図６に示すように、片面中央に長手方向に係合溝１８ａが形成された第３板材１８と係合溝１８ａに側部が挿入接着された第４板材１９とにより支柱断面がＴ字状に形成され、第３凹溝１７ｃは第３板材１８に係合溝１８ａに直交しかつ連通して形成され、第４凹溝１７ｄは係合溝１８ａに挿入接着された状態で第３凹溝１７ｃに交差するように第４板材１９の両面にそれぞれ形成された組み立て式棚の支柱である。
この請求項３及び請求項６に記載された組み立て式棚の支柱では、係合溝１４ａ、１７ａに第２又は第４板材１６又は１９の側部を挿入接着するだけの比較的単純な作業で、切り欠き溝１３ａ又は１７ａ，１７ｂの内面に第１及び第２凹溝１３ｂ，１３ｃ又は第３及び第４凹溝１７ｃ，１７ｄを互いに交差して形成することができる。
【発明の効果】
【００１０】
本発明の組み立て式棚の支柱では、横断面の角部を切り欠く単一の又は一対の切り欠き溝を鉛直方向に連続して形成することにより横断面をＬ字又はＴ字状に形成し、棚板の厚さに相応する幅の凹溝を切り欠き溝に直交して切り欠き溝の内面に互いに交差して形成し、その凹溝に貫通する取付孔を形成し、互いに交差する凹溝に棚板の角部を挿入させて取付孔に挿入させた雄ねじを棚板の角部に螺着することにより棚板を支持可能に構成したので、棚板を実際に支持するための凹溝は断面Ｌ字又はＴ字状の支柱により包囲されるような形になる。このため、棚板を支持するための凹溝は外部から直接視認することが困難になり、得られた棚の見栄えを従来より向上させることができる。
【００１１】
また、棚板の角部を実際に支持する凹溝は棚板の厚さに相応する幅を有しかつ互いに交差するので、棚板の角部を凹溝に挿入するだけで棚板を支柱に対して略直角に支持することができる。そして、その状態で取付孔に挿入させた雄ねじを棚板の角部に螺着することにより棚板を正確な位置に位置させた状態で雄ねじを螺着することができ、比較的単純な作業で棚板を正確に所定の場所に確実かつ強固に固定することができる。このため、従来必要とされたスリット金具や、支柱に棚板を強固に取付けるための保持部材等が不要になり、部品点数を減少させて比較的安価な棚を得ることが可能になる。
【発明を実施するための最良の形態】
【００１２】
次に本発明を実施するための最良の形態を図面に基づいて説明する。
図７に示すように、組み立て式収納棚１０は複数枚の棚板１１，１２と、それらの棚板１１，１２を水平方向に支持する鉛直に設けられる複数本の支柱１３，１７とを備える。棚板１１，１２は木材からなりその厚さｔが１０ｍｍ以上２５ｍｍ以下の板材が用いられる。棚板１１，１２の形状は方形状が好ましく、その一辺又は二辺以上を湾曲させ又は波形に形成しても良い。図１における収納棚１０では、それぞれ厚さｔと幅ｗが等しくその長さＬ1，Ｌ2が異なり、比較的長い長さＬ1を有する長棚板１１と、長棚板１１より短い長さＬ2を有する短棚板１２の２種類の棚板１１，１２がそれぞれ複数枚用いられる場合を示す。一方、支柱１３，１７はそれらの棚板１１，１２を水平方向に支持するように鉛直方向に設けられる。本発明はこのような組み立て式収納棚１０に用いられる支柱１３，１７であって、棚板１１，１２の角部を支持する角部用支柱１３と、水平方向に連続する長棚板１１と短棚板１２の間に位置してその双方の棚板１１，１２の角部をそれぞれ支持する中間用支柱１７とを備える。
【００１３】
図１に示すように、角部用支柱１３は木質系の棒材を加工することにより作られ、横断面の角部を切り欠く単一の切り欠き溝１３ａを鉛直方向に連続して形成することにより横断面がＬ字状に形成される。具体的には、図３に示すように、長手方向側部の片面に係合溝１４ａが形成された第１板材１４と、その係合溝１４ａに側部が挿入接着された第２板材１６とにより支柱横断面がＬ字状に形成された支柱１３を得る。そして、この支柱１３には棚板１１，１２の厚さｔに相応する幅ｍの第１及び第２凹溝１３ｂ，１３ｃが切り欠き溝１３ａに直交して切り欠き溝１３ａの内面に互いに交差して形成される。
【００１４】
具体的には、図３に示すように、第１凹溝１３ｂは第１板材１４の片面に係合溝１４ａに直交しかつ連通して形成され、第２凹溝１３ｃは側端部が係合溝１４ａに挿入接着された状態で第１凹溝１３ｂに交差するように第２板材１６の片面に形成される。このような互いに交差する第１及び第２凹溝１３ｂ，１３ｃは鉛直方向に所定の間隔Ｓをあけて複数形成される。図２に示すように、この支柱１３には第１又は第２凹溝１３ｂ，１３ｃのいずれか一方又は双方に貫通する取付孔１３ｄが形成され、互いに交差する第１及び第２凹溝１３ｂ，１３ｃに棚板１１，１２の角部を挿入させて、図７に示すように取付孔１３ｄに挿入させた雄ねじ２１を棚板１１，１２の角部に螺着することにより棚板１１，１２を支持可能に構成される。
【００１５】
このように構成された組み立て式収納棚の支柱１３では、第１又は第２凹溝１３ｂ，１３ｃに棚板１１，１２の角部を挿入させて棚板１１，１２を支持するので、棚板１１，１２を正確な位置に位置させた状態で雄ねじ２１を棚板１１，１２の側縁部に螺着することができ、比較的単純な作業で棚板１１，１２を正確に所定の場所に固定することができる。また、第１又は第２凹溝１３ｂ，１３ｃは棚板１１の厚さｔに相応する幅ｍを有するので、第１又は第２凹溝１３ｂ，１３ｃに角部が挿入された棚板１１，１２は支柱１３に対して略直角になり、比較的容易に支柱１３に対して棚板１１，１２を直角にすることができ、その状態で取付孔１３ｄに挿入させた雄ねじ２１を棚板１１，１２の角部に螺着することにより棚板１１，１２を正確な位置に位置させた状態で雄ねじ２１を螺着することができ、比較的単純な作業で棚板１１を正確に所定の場所に確実かつ強固に固定することができる。このため、従来必要とされたスリット金具や、支柱に棚板を強固に取付けるための保持部材等が不要になり、部品点数を減少させて比較的安価な棚を得ることが可能になる。
【００１６】
また、支柱１３には互いに交差する第１及び第２凹溝１３ｂ，１３ｃが鉛直方向に所定の間隔Ｓをあけて複数形成されるので、棚板１１，１２を嵌める溝１３ｂ，１３ｃを異ならせることにより、使用者の好みに応じてその棚１１，１２を上下方向の任意の位置に固定することができ、かつその棚板１１，１２の追加又は削除を比較的容易に行うことができる。
更に、この組み立て式棚の支柱１３では、その横断面の角部を単一の切り欠き溝１３ａにより切り欠いて横断面がＬ字状になるように形成し、その切り欠き溝１３ａの内面に棚板１１，１２を支持する第１及び第２凹溝１３ｂ，１３ｃを互いに交差して形成するので、棚板１１，１２を実際に支持するための第１及び第２凹溝１３ｂ，１３ｃは断面Ｌ字状の支柱１３により包囲されるような形になる。このため、棚板１１，１２を支持するための第１及び第２凹溝１３ｂ，１３ｃは外部から直接視認することが困難になり、その溝１３ｂ，１３ｃの全てが外部から直接視認されることは回避され、得られた棚１０の見栄えを従来より向上させることができる。
【００１７】
次に、中間用支柱１７を説明する。図４に示すように、この中間用支柱１７は木質系の棒材を加工することにより作られ、横断面の隣接する角部をそれぞれ切り欠く一対の第１及び第２切り欠き溝１７ａ，１７ｂを所定の間隔をあけて互いに平行に鉛直方向に連続して形成することにより横断面がＴ字状に形成される。具体的には、図６に示すように、片面中央に長手方向に係合溝１８ａが形成された第３板材１８と、その係合溝１８ａに側部が挿入接着された第４板材１９とにより支柱断面がＴ字状に形成される。そして、支柱１７には、棚板１１，１２の厚さに相応する幅ｍの第３及び第４凹溝１７ｃ，１７ｄが一対の第１及び第２切り欠き溝１７ａ，１７ｂのそれぞれに直交して第１及び第２切り欠き溝１７ａ，１７ｂの各内面に互いに交差するようにそれぞれ形成される。具体的には、第３凹溝１７ｃは第３板材１８に係合溝１８ａに直交しかつ連通して形成され、第４凹溝１７ｄはその係合溝１４ａに挿入接着された状態で第３凹溝１７ｃに交差するように第４板材１９の両面にそれぞれ形成される。このように互いに交差する第３及び第４凹溝１７ｃ，１７ｄは鉛直方向に所定の間隔Ｓをあけて複数形成される。
【００１８】
また、図５に示すように、この中間用支柱１７には、第３又は第４凹溝１７ｃ，１７ｄのいずれか一方又は双方に貫通する取付孔１７ｅが形成される。そして、互いに交差する第３及び第４凹溝１７ｃ，１７ｄに棚板１１，１２の角部を挿入させて、図７に示すように取付孔１７ｅに挿入させた雄ねじ２１を棚板１１，１２の角部に螺着することにより棚板を支持可能に構成される。従って、この中間用支柱１７では、第１切り欠き溝１７ａに形成された互いに交差する第３及び第４凹溝１７ｃ，１７ｄに挿入されてねじ止めされた一方の棚板１１と、第２切り欠き溝１７ｂに形成された互いに交差する第３及び第４凹溝１７ｃ，１７ｄに挿入されてねじ止めされた他方の棚板１２とが水平方向に連続するように構成される。
【００１９】
このように構成された組み立て式収納棚の支柱１７であっても、第３及び第４凹溝１７ｃ，１７ｄに棚板１１，１２の角部を挿入させて棚板１１，１２を支持するので、棚板１１，１２を正確な位置に位置させた状態で雄ねじ２１を棚板１１，１２の側縁部に螺着することができ、比較的単純な作業で棚板１１，１２を正確に所定の場所に固定することができる。また、第３及び第４凹溝１７ｃ，１７ｄは棚板１１の厚さｔに相応する幅ｍを有するので、第３及び第４凹溝１７ｃ，１７ｄに角部が挿入された棚板１１，１２は支柱１７に対して略直角になり、比較的容易に支柱１７に対して棚板１１，１２を直角にすることができ、その状態で取付孔１７ｅに挿入させた雄ねじ２１を棚板１１，１２の角部に螺着することにより棚板１１，１２を正確な位置に位置させた状態で雄ねじ２１を螺着することができ、比較的単純な作業で棚板１１を正確に所定の場所に確実かつ強固に固定することができる。
【００２０】
また、支柱１７には互いに交差する第３及び第４凹溝１７ｃ，１７ｄが鉛直方向に所定の間隔Ｓをあけて複数形成されるので、棚板１１，１２を嵌める溝１７ｃ，１７ｄを異ならせることにより、使用者の好みに応じてその棚１１，１２を上下方向の任意の位置に固定することができ、かつその棚板１１，１２の追加又は削除を比較的容易に行うことができる。そして、この支柱１７にあっては、水平方向に連続する棚板１１と棚板１２の間に鉛直方向に設けられ、その双方の棚板１１，１２の角部をそれぞれ支持することができる。
更に、この組み立て式棚の支柱１７では、その横断面の角部を一対の切り欠き溝１７ａ，１７ｂにより切り欠いて横断面がＴ字状になるように形成し、その切り欠き溝１７ａ，１７ｂの内面に棚板１１，１２を支持する第３及び第４凹溝１７ｃ，１７ｄを互いに交差して形成するので、棚板１１，１２を実際に支持するための第３及び第４凹溝１７ｃ，１７ｄは断面Ｔ字状の支柱により包囲されるような形になる。このため、棚板１１，１２を支持するための第３及び第４凹溝１７ｃ，１７ｄは外部から直接視認することが困難になり、その溝１７ｃ，１７ｄの全てが外部から直接視認されることは回避され、得られた棚１０の見栄えを従来より向上させることができる。
【図面の簡単な説明】
【００２１】
【図１】本発明の角部用の支柱を示す斜視図である。
【図２】図１のＡ−Ａ線断面図である。
【図３】その支柱の構成を示す分解斜視図である。
【図４】本発明の間用の支柱を示す斜視図である。
【図５】図４のＢ−Ｂ線断面図である。
【図６】その支柱の構成を示す分解斜視図である。
【図７】それらの支柱により複数の棚板が支持されて得られた棚の斜視図である。
【符号の説明】
【００２２】
１０  組み立て式棚
１１  一方の棚板（棚板）
１２  他方の棚板（棚板）
１３  支柱
１３ａ  切り欠き溝
１３ｂ  第１凹溝
１３ｃ  第２凹溝
１３ｄ  取付孔
１４  第１板材
１４ａ  係合溝
１６  第２板材
１７  支柱
１７ａ  第１切り欠き溝
１７ｂ  第２切り欠き溝
１７ｃ  第３凹溝
１７ｄ  第４凹溝
１７ｅ  取付孔
１８  第３板材
１８ａ  係合溝
１９  第４板材
２１  雄ねじ
【図１】
2005342213.tif 000003
【図２】
2005342213.tif 000004
【図３】
2005342213.tif 000005
【図４】
2005342213.tif 000006
【図５】
2005342213.tif 000007
【図６】
2005342213.tif 000008
【図７】
2005342213.tif 000009